(57)【要約】【課題】ユーザが自由な時間に手間をかけずにキャンペーンに応募し、参加できるようにし、キャンペーンに応募したユーザの紹介により他のユーザもそのキャンペーンに応募できるようにしたユーザ紹介商品キャンペーンシステム及びその管理サーバを提供する。【解決手段】ユーザAoの携帯端末200 により送信した他のユーザAnへの紹介用データ作成要求を含む応募用電子メールを管理サーバ100 が受信し、該メールに基づきサーバ100 が送信したユーザAoのポイント情報と他のユーザAnへの紹介用データとを含む応答用電子メールを端末200 が受信し、サーバ100 は該ユーザAoからの紹介用データに基づき他のユーザAnの携帯端末400 から送信される被紹介データの接続要求を受信し、該被紹介データに対応する応答出力情報を生成して端末400 に送信し、該応答出力情報に基づき送信される該他のユーザの商品注文情報を確認し、前記端末200 に紹介ポイントを付与送信する。【選択図】図１
2007293666.tif 000002
【特許請求の範囲】
【請求項１】
ネットワークに接続された携帯端末２００と、前記ネットワークに接続された管理サーバ１００からなるキャンペーン商品情報システムにおいて、
ユーザＡO の前記携帯端末２００は、
商品識別情報と宛先メールアドレスとが埋め込まれ、商品に付与された印刷物を読み取る読み取り手段と、
前記読み取り手段によって読み取られた印刷物に埋め込まれた前記商品識別情報を読み出し、該商品識別情報と応募用情報と他のユーザＡn への紹介用データ作成要求とを含む応募用電子メールを作成する応募メール作成手段と、
前記印刷物に埋め込まれた前記宛先メールアドレスを読み出し、前記ネットワークを介して前記応募用電子メールを前記宛先メールアドレスへ送信する応募メール送信手段と、
前記管理サーバから、該管理サーバアドレス情報を含む応答用電子メールを受信する応答メール受信手段と、
前記管理サーバへの接続要求をユーザから受け付ける接続要求入力手段と、
前記接続要求入力手段が受け付けた接続要求に従い、前記アドレス情報に基づいて前記管理サーバに接続を要求する接続要求手段と、
前記管理サーバから出力情報を受信して表示する表示手段と、
を具備し、
前記管理サーバ１００は、
前記商品に対して発行された商品識別情報を、既に使用されたか否かを示す使用済情報に対応付けて記憶登録する商品識別情報記憶手段１３０と、
前記携帯端末２００から前記宛先メールアドレスへ送信された前記応募用電子メールを受信する応募メール受信手段１１１と、
前記応募メール受信手段１１１によって受信された応募用電子メールに含まれる前記商品識別情報と前記商品識別情報記憶手段１３０に記憶された商品識別情報及び使用済情報とから、前記応募用電子メールに含まれる商品識別情報が利用可能か否か判定する商品識別情報認証手段１１２と、
前記応募メール受信手段１１１によって受信された応募用電子メールの前記送信元メールアドレスを読み出し、ユーザ情報記憶手段１３２内に書き込むユーザ登録手段１１８と、
前記応募メール受信手段１１１によって受信された応募用電子メールに含まれる前記商品識別情報に基づいて前記ユーザ情報記憶手段１３２内にポイント情報を書き込むポイント管理部１２０のポイント書き込み手段と、
前記商品識別情報認証手段１１２による判定の結果に基づいて、前記管理サーバアドレス情報を前記送信元メールアドレスに対応付けて生成するアドレス情報（ＵＲＬ）生成手段１１４と、
生成した前記管理サーバアドレス情報に対応付けられた前記送信元メールアドレスを取得するＵＲＬ対応情報取得部１１９のメールアドレス取得手段と、
前記メールアドレス取得手段によって取得された送信元メールアドレスに対応する前記ポイント情報を前記ユーザ情報記憶手段１３２から読み出すポイント管理部１２０のポイント読み出し手段と、
前記応募メール受信手段によって受信した応募用電子メールにて作成要求された他のユーザＡn への紹介用データを作成する紹介用データ作成手段１５０と、
前記アドレス情報生成手段１１４によって生成されたアドレス情報とポイント管理部１２０のポイント読み出し手段にて読み出されたユーザＡO に付与するポイント情報と紹介用データ作成手段１５０にて作成された他のユーザＡn への紹介用データとを含む応答用電子メールを作成して前記ユーザＡO の携帯端末に送信する応答メール作成送信部１１５と、
前記ユーザＡO の受信した紹介用データに基づいて他のユーザＡn の携帯端末４００か
ら送信される被紹介データの接続登録要求を受信して受け付け処理し、該被紹介データに対応する応答出力情報を生成して該ユーザＡn の携帯端末４００に送信する応答メール作成送信部１１５の紹介情報受付送信手段と、
前記応答出力情報に基づいて送信される該ユーザＡn の商品注文情報を確認し、前記ユーザＡO の携帯端末２００に紹介ポイントを付与して送信するポイント管理部１２０の紹介ポイント付与送信手段と、
を具備することを特徴とするユーザ紹介キャンペーン商品情報システム。
【請求項２】
ネットワークに接続された携帯端末２００と、前記ネットワークに接続された管理サーバ１００と、商品識別情報記憶手段１３０からなるキャンペーン商品情報システムにおいて、
ユーザＡO の前記携帯端末２００は、
商品識別情報と宛先メールアドレスとが埋め込まれ、商品に付与された印刷物を読み取り手段によって読み取り、
読み取られた印刷物に埋め込まれた前記商品識別情報を読み出し、該商品識別情報と応募用情報と紹介用データ作成要求とを含む応募用電子メールを応募メール作成手段にて作成し、
前記印刷物に埋め込まれた宛先メールアドレスを読み出し、前記ネットワークを介して前記応募用電子メールを応募メール送信手段にて前記宛先メールアドレスへ送信し、
前記管理サーバ１００は、
前記携帯端末２００から前記宛先メールアドレスへ送信された応募用電子メールを応募メール受信手段１１１にて受信し、
前記受信された応募用電子メールに含まれる前記商品識別情報と前記商品識別情報記憶手段１３０のシリアルナンバーデータベース１３１に記憶された商品識別情報及び使用済情報とから、商品識別情報認証手段１１２にて前記応募用電子メールに含まれる商品識別情報が利用可能か否か判定し、
前記受信された応募用電子メールの前記送信元メールアドレスをユーザ登録手段１１８にて読み出して前記商品識別情報記憶手段１３０のユーザ情報記憶手段１３２内に書き込み、
前記受信された応募用電子メールに含まれる前記商品識別情報に基づいて、ポイント管理部１２０のポイント書き込み手段によりポイント情報を前記ユーザ情報記憶手段１３２内に書き込み、
前記商品識別情報認証手段１１２による判定の結果に基づいて、アドレス情報（ＵＲＬ）生成手段１１４により前記管理サーバアドレス情報を前記送信元メールアドレスに対応付けて生成し、
生成した管理サーバアドレス情報に対応付けられた前記送信元メールアドレスを、ＵＲＬ対応情報取得部１１９のメールアドレス取得手段により取得し、
前記メールアドレス取得手段により取得された送信元メールアドレスに対応する前記ポイント情報を、前記ポイント管理部１２０のポイント読み出し手段により前記ユーザ情報記憶手段１３２から読み出し、
前記応募メール受信手段１１１によって受信した応募用電子メールにて作成要求された他のユーザＡn への紹介用データを紹介用データ作成手段１５０により作成し、
続いて、前記アドレス情報生成手段１１４によって生成された管理サーバアドレス情報と、ポイント管理部１２０のポイント読み出し手段にて読み出されたユーザＡO に付与するポイント情報と、紹介用データ作成手段１５０にて作成された他のユーザＡn への紹介用データとを含む応答用電子メールを、応答メール作成送信部１１５により作成して前記ユーザＡO の携帯端末に送信し、
前記ユーザＡO の前記携帯端末２００は、
前記ユーザＡO の受信した応答用電子メールに含む管理サーバアドレス情報と、紹介用データを、紹介すべき他のユーザＡn の携帯端末４００に送信し、
前記他のユーザＡn の携帯端末４００は、
受信した管理サーバアドレス情報と紹介用データとに基づいて、管理サーバ１００に被紹介データを含む接続登録要求を送信し、
前記管理サーバ１００は、
前記他のユーザＡn の接続登録要求を受信して受け付け処理し、応答メール作成送信部１１５の紹介情報受付送信手段により該接続登録要求に対応する応答出力情報（ユーザＡn への登録完了情報）を生成して該ユーザＡn の携帯端末４００に送信し、
前記他のユーザＡn の携帯端末４００は、
前記応答出力情報（ユーザＡn への登録完了情報）に基づいて、商品注文情報を管理サーバ１００に送信し、
前記管理サーバ１００は、
受信した他のユーザＡn の商品注文情報を確認し、該ユーザＡn を紹介した前記ユーザＡO の携帯端末２００に、ポイント管理部１２０の紹介ポイント付与送信手段により紹介ポイントを付与して送信する、
ことを特徴とするユーザ紹介キャンペーン商品情報システム。
【請求項３】
請求項１又は２記載のユーザ紹介キャンペーン商品情報システムにおいて、
前記商品識別情報認証手段１１２は、
前記応募メール受信手段によって受信された応募用電子メールから前記商品識別情報を読み出し、一致する前記商品識別情報が前記商品識別情報記憶手段内に存在するか否かを判定する正当性判定手段１１２ａと、
前記応募メール受信手段によって受信された応募用電子メールから前記商品識別情報を読み出し、一致する前記商品識別情報に対応する使用済情報が未使用を示すか否かを判定する未使用判定手段１１３と、
を有することを特徴とするユーザ紹介キャンペーン商品情報システム。
【請求項４】
請求項１乃至３のいずれか１項記載のユーザ紹介キャンペーン商品情報システムにおいて、
前記管理サーバ１００は、受信した他のユーザＡn の前記商品注文情報を確認すると共に、前記商品に対して発行された商品識別情報を、前記商品識別情報記憶手段１３０に既に使用されたか否かを示す使用済情報に対応付けて記憶登録することを特徴とするユーザ紹介キャンペーン商品情報システム。
【請求項５】
請求項１乃至４のいずれか１項記載のユーザ紹介キャンペーン商品情報システムにおける管理サーバであって、
商品に対して発行された商品識別情報を、既に使用されたか否かを示す使用済情報に対応付けて記憶する商品識別情報記憶手段１３０と、
前記携帯端末２００から宛先メールアドレスへ送信された応募用電子メールを受信する応募メール受信手段１１１と、
前記応募メール受信手段１１１によって受信された応募用電子メールに含まれる前記商品識別情報と前記商品識別情報記憶手段１３０に記憶された商品識別情報及び使用済情報とから、前記応募用電子メールに含まれる商品識別情報が利用可能か否か判定する商品識別情報認証手段１１２と、
前記応募メール受信手段１１１によって受信された応募用電子メールの前記携帯端末２００の送信元メールアドレスを読み出し、ユーザ情報記憶手段１３２内に書き込むユーザ登録手段１１８と、
前記応募メール受信手段１１１によって受信された応募用電子メールに含まれる前記商品識別情報に基づいて前記ユーザ情報記憶手段１３２内にポイント情報を書き込むポイント管理部１２０のポイント書き込み手段と、
前記商品識別情報認証手段１１２による判定の結果に基づいて、前記管理サーバアドレ
ス情報を前記送信元メールアドレスに対応付けて生成するアドレス情報（ＵＲＬ）生成手段１１４と、
生成した前記管理サーバアドレス情報に対応付けられた前記送信元メールアドレスを取得するＵＲＬ対応情報取得部１１９のメールアドレス取得手段と、
前記メールアドレス取得手段によって取得された送信元メールアドレスに対応する前記ポイント情報を前記ユーザ情報記憶手段１３２から読み出すポイント管理部１２０のポイント読み出し手段と、
前記応募メール受信手段によって受信した応募用電子メールにて作成要求された紹介用データを作成する紹介用データ作成手段１５０と、
前記アドレス情報生成手段１１４によって生成されたアドレス情報とポイント管理部１２０のポイント読み出し手段にて読み出されたユーザＡO に付与するポイント情報と紹介用データ作成手段１５０にて作成された紹介用データとを含む応答用電子メールを作成して前記携帯端末に送信する応答メール作成送信部１１５と、
前記ユーザＡO の受信した紹介用データに基づいて他のユーザＡn の携帯端末４００から送信される被紹介データの接続登録要求を受信して受け付け処理し、該被紹介データに対応する応答出力情報を生成して該ユーザＡn の携帯端末４００に送信する応答メール作成送信部１１５の紹介情報受付送信手段と、
前記応答出力情報に基づいて送信される該ユーザＡn の商品注文情報を確認し、前記ユーザＡO の携帯端末に紹介ポイントを付与して送信するポイント管理部１２０の紹介ポイント付与送信手段と、
を具備することを特徴とするユーザ紹介キャンペーン商品情報システムにおける管理サーバ。
【請求項６】
請求項５記載のユーザ紹介キャンペーン商品情報システムにおける管理サーバにおいて、
前記商品識別情報記憶手段１３０は、受信した他のユーザＡn の前記商品注文情報を確認すると共に、前記商品に対して発行された商品識別情報を既に使用されたか否かを示す使用済情報に対応付けて記憶登録することを特徴とするユーザ紹介キャンペーン商品情報システムにおける管理サーバ。
【発明の詳細な説明】
【技術分野】
【０００１】
本発明は、シリアルナンバー及び応募用宛先メールアドレスが印刷された商品を利用した商品キャンペーンにおけるキャンペーン商品情報システム及びそのシステム管理サーバに関する。
【背景技術】
【０００２】
従来において、菓子類等のパッケージや、飲料水の缶、ＰＥＴボトル等に、製造会社が販売促進を計った告知を印刷していた。この告知には、インターネット上のＵＲＬ（Ｕｎｉｆｏｒｍ  Ｒｅｓｏｕｒｃｅ  Ｌｏｃａｔｏｒ）、その商品に個別に発行されたシリアルナンバーが書かれており、購入者が携帯端末からＵＲＬを手入力して製造会社のサーバにアクセスし、シリアルナンバーを入力して、景品の抽選等のキャンペーンに参加していた。しかし、この方法は、煩雑で長いデータであるＵＲＬやシリアルナンバーを、ユーザが手入力しなければならないため、ユーザにとって手間がかかるという問題があった。
【０００３】
ところで、特許文献１には、ＵＲＬとシリアルナンバーに対応する２次元バーコードを商品ラベル等に印字し、ユーザが携帯端末のスキャナでこれを読み取らせ、携帯端末が読み取った２次元バーコードを解釈して、そのＵＲＬに相当する製造会社のサーバにアクセスし、シリアルナンバーをサーバに送信することで、ユーザの手間を省き、キャンペーンに参加する作業を簡単にしたシステムが公開されている。
【０００４】
しかしながら、特許文献１の方法は、前述の商品ラベルに付与された２次元バーコードを携帯端末で読み込んだ時に、製造会社のサーバにアクセスするため、購入したお菓子等の商品のパッケージや飲料水の缶等を手元に取ってある時だけ、キャンペーンに参加することができる。そのため、ユーザがキャンペーンに参加する時間が無い場合、商品のラベルを所持しておかなければならず、不便であるという問題があった。
【０００５】
また、２次元バーコードを読み込み、携帯端末に保存しておいて後でサーバにアクセスすることも考えられるが、この場合でも、他人がその商品ラベルに付与されている２次元バーコードを読み込み、先にサーバにアクセスする恐れがあるので、やはり商品のラベルを所持しておかなければならない。
【０００６】
更に、ポイントを蓄積してキャンペーンに応募する場合は、初回の応募時にユーザＩＤの登録が必要であり、その後の応募毎にユーザＩＤを送る必要があり、応募するたびに、ユーザＩＤの入力の手間があった。
【０００７】
以下に、本発明に関連する公知の特許文献を記載する。
【特許文献１】特開２００２−２７９２６８号公報
【発明の開示】
【発明が解決しようとする課題】
【０００８】
本発明は上記の点を鑑みてなされたもので、ユーザが自由な時間に、手間をかけずにキャンペーンに応募し、参加することができるようにするとともに、キャンペーンに応募したユーザの紹介により、他のユーザも、そのキャンペーンに応募できるようにしたユーザ紹介キャンペーン商品情報システム及びそのシステム管理サーバを提供することを目的とするものである。
【課題を解決するための手段】
【０００９】
本発明の請求項１に係る発明は、ネットワークに接続された携帯端末２００と、前記ネットワークに接続された管理サーバ１００からなるキャンペーン商品情報システムにおいて、
ユーザＡO の前記携帯端末２００は、
商品識別情報と宛先メールアドレスとが埋め込まれ、商品に付与された印刷物を読み取る読み取り手段と、
前記読み取り手段によって読み取られた印刷物に埋め込まれた前記商品識別情報を読み出し、該商品識別情報と応募用情報と他のユーザＡn への紹介用データ作成要求とを含む応募用電子メールを作成する応募メール作成手段と、
前記印刷物に埋め込まれた前記宛先メールアドレスを読み出し、前記ネットワークを介して前記応募用電子メールを前記宛先メールアドレスへ送信する応募メール送信手段と、
前記管理サーバから、該管理サーバアドレス情報を含む応答用電子メールを受信する応答メール受信手段と、
前記管理サーバへの接続要求をユーザから受け付ける接続要求入力手段と、
前記接続要求入力手段が受け付けた接続要求に従い、前記アドレス情報に基づいて前記管理サーバに接続を要求する接続要求手段と、
前記管理サーバから出力情報を受信して表示する表示手段と、
を具備し、
前記管理サーバ１００は、
前記商品に対して発行された商品識別情報を、既に使用されたか否かを示す使用済情報に対応付けて記憶する商品識別情報記憶手段１３０と、
前記携帯端末２００から前記宛先メールアドレスへ送信された前記応募用電子メールを受信する応募メール受信手段１１１と、
前記応募メール受信手段１１１によって受信された応募用電子メールに含まれる前記商品識別情報と前記商品識別情報記憶手段１３０に記憶された商品識別情報及び使用済情報とから、前記応募用電子メールに含まれる商品識別情報が利用可能か否か判定する商品識別情報認証手段１１２と、
前記応募メール受信手段１１１によって受信された応募用電子メールの前記送信元メールアドレスを読み出し、ユーザ情報記憶手段１３２内に書き込むユーザ登録手段１１８と、
前記応募メール受信手段１１１によって受信された応募用電子メールに含まれる前記商品識別情報に基づいて前記ユーザ情報記憶手段１３２内にポイント情報を書き込むポイント管理部１２０のポイント書き込み手段と、
前記商品識別情報認証手段１１２による判定の結果に基づいて、前記管理サーバアドレス情報を前記送信元メールアドレスに対応付けて生成するアドレス情報（ＵＲＬ）生成手段１１４と、
生成した前記管理サーバアドレス情報に対応付けられた前記送信元メールアドレスを取得するＵＲＬ対応情報取得部１１９のメールアドレス取得手段と、
前記メールアドレス取得手段によって取得された送信元メールアドレスに対応する前記ポイント情報を前記ユーザ情報記憶手段１３２から読み出すポイント管理部１２０のポイント読み出し手段と、
前記応募メール受信手段によって受信した応募用電子メールにて作成要求された他のユーザＡn への紹介用データを作成する紹介用データ作成手段１５０と、
前記アドレス情報生成手段１１４によって生成されたアドレス情報とポイント管理部１２０のポイント読み出し手段にて読み出されたユーザＡO に付与するポイント情報と紹介用データ作成手段１５０にて作成された他のユーザＡn への紹介用データとを含む応答用電子メールを作成して前記ユーザＡO の携帯端末に送信する応答メール作成送信部１１５と、
前記ユーザＡO の受信した紹介用データに基づいて他のユーザＡn の携帯端末４００か
ら送信される被紹介データの接続登録要求を受信して受け付け処理し、該被紹介データに対応する応答出力情報を生成して該ユーザＡn の携帯端末４００に送信する応答メール作成送信部１１５の紹介情報受付送信手段と、
前記応答出力情報に基づいて送信される該ユーザＡn の商品注文情報を確認し、前記ユーザＡO の携帯端末２００に紹介ポイントを付与して送信するポイント管理部１２０の紹介ポイント付与送信手段と、
を具備することを特徴とするユーザ紹介キャンペーン商品情報システムである。
【００１０】
本発明の請求項２に係る発明は、ネットワークに接続された携帯端末２００と、前記ネットワークに接続された管理サーバ１００と、商品識別情報記憶手段１３０からなるキャンペーン商品情報システムにおいて、
ユーザＡO の前記携帯端末２００は、
商品識別情報と宛先メールアドレスとが埋め込まれ、商品に付与された印刷物を読み取り手段によって読み取り、
読み取られた印刷物に埋め込まれた前記商品識別情報を読み出し、該商品識別情報と応募用情報と紹介用データ作成要求とを含む応募用電子メールを応募メール作成手段にて作成し、
前記印刷物に埋め込まれた宛先メールアドレスを読み出し、前記ネットワークを介して前記応募用電子メールを応募メール送信手段にて前記宛先メールアドレスへ送信し、
前記管理サーバ１００は、
前記携帯端末２００から前記宛先メールアドレスへ送信された応募用電子メールを応募メール受信手段１１１にて受信し、
前記受信された応募用電子メールに含まれる前記商品識別情報と前記商品識別情報記憶手段１３０のシリアルナンバーデータベース１３１に記憶された商品識別情報及び使用済情報とから、商品識別情報認証手段１１２にて前記応募用電子メールに含まれる商品識別情報が利用可能か否か判定し、
前記受信された応募用電子メールの前記送信元メールアドレスをユーザ登録手段１１８にて読み出して前記商品識別情報記憶手段１３０のユーザ情報記憶手段１３２内に書き込み、
前記受信された応募用電子メールに含まれる前記商品識別情報に基づいて、ポイント管理部１２０のポイント書き込み手段によりポイント情報を前記ユーザ情報記憶手段１３２内に書き込み、
前記商品識別情報認証手段１１２による判定の結果に基づいて、アドレス情報（ＵＲＬ）生成手段１１４により前記管理サーバアドレス情報を前記送信元メールアドレスに対応付けて生成し、
生成した管理サーバアドレス情報に対応付けられた前記送信元メールアドレスを、ＵＲＬ対応情報取得部１１９のメールアドレス取得手段により取得し、
前記メールアドレス取得手段により取得された送信元メールアドレスに対応する前記ポイント情報を、前記ポイント管理部１２０のポイント読み出し手段により前記ユーザ情報記憶手段１３２から読み出し、
前記応募メール受信手段１１１によって受信した応募用電子メールにて作成要求された他のユーザＡn への紹介用データを紹介用データ作成手段１５０により作成し、
続いて、前記アドレス情報生成手段１１４によって生成された管理サーバアドレス情報と、ポイント管理部１２０のポイント読み出し手段にて読み出されたユーザＡO に付与するポイント情報と、紹介用データ作成手段１５０にて作成された他のユーザＡn への紹介用データとを含む応答用電子メールを、応答メール作成送信部１１５により作成して前記ユーザＡO の携帯端末に送信し、
前記ユーザＡO の前記携帯端末２００は、
前記ユーザＡO の受信した応答用電子メールに含む管理サーバアドレス情報と、紹介用データを、紹介すべき他のユーザＡn の携帯端末４００に送信し、
前記他のユーザＡn の携帯端末４００は、
受信した管理サーバアドレス情報と紹介用データとに基づいて、管理サーバ１００に被紹介データを含む接続登録要求を送信し、
前記管理サーバ１００は、
前記他のユーザＡn の接続登録要求を受信して受け付け処理し、応答メール作成送信部１１５の紹介情報受付送信手段により該接続登録要求に対応する応答出力情報（ユーザＡn への登録完了情報）を生成して該ユーザＡn の携帯端末４００に送信し、
前記他のユーザＡn の携帯端末４００は、
前記応答出力情報（ユーザＡn への登録完了情報）に基づいて、商品注文情報を管理サーバ１００に送信し、
前記管理サーバ１００は、
受信したユーザＡn の商品注文情報を確認し、該ユーザＡn を紹介した前記ユーザＡO の携帯端末２００に、ポイント管理部１２０の紹介ポイント付与送信手段により紹介ポイントを付与して送信する、
ことを特徴とするユーザ紹介キャンペーン商品情報システムである。
【００１１】
本発明の請求項３に係る発明は、上記請求項１又は２に係るユーザ紹介キャンペーン商品情報システムにおいて、
前記商品識別情報認証手段１１２は、
前記応募メール受信手段によって受信された応募用電子メールから前記商品識別情報を読み出し、一致する前記商品識別情報が前記商品識別情報記憶手段内に存在するか否かを判定する正当性判定手段１１２ａと、
前記応募メール受信手段によって受信された応募用電子メールから前記商品識別情報を読み出し、一致する前記商品識別情報に対応する使用済情報が未使用を示すか否かを判定する未使用判定手段１１３と、
を有することを特徴とするユーザ紹介キャンペーン商品情報システムである。
【００１２】
本発明の請求項４に係る発明は、上記請求項１乃至３のいずれか１項に係るユーザ紹介キャンペーン商品情報システムにおいて、
前記管理サーバ１００は、受信した他のユーザＡn の前記商品注文情報を確認すると共に、前記商品に対して発行された商品識別情報を、前記商品識別情報記憶手段１３０に既に使用されたか否かを示す使用済情報に対応付けて記憶登録することを特徴とするユーザ紹介キャンペーン商品情報システムである。
【００１３】
本発明の請求項５に係る発明は、上記請求項１乃至４のいずれか１項に係るユーザ紹介キャンペーン商品情報システムにおける管理サーバであって、
商品に対して発行された商品識別情報を、既に使用されたか否かを示す使用済情報に対応付けて記憶する商品識別情報記憶手段１３０と、
前記携帯端末２００から宛先メールアドレスへ送信された応募用電子メールを受信する応募メール受信手段１１１と、
前記応募メール受信手段１１１によって受信された応募用電子メールに含まれる前記商品識別情報と前記商品識別情報記憶手段１３０に記憶された商品識別情報及び使用済情報とから、前記応募用電子メールに含まれる商品識別情報が利用可能か否か判定する商品識別情報認証手段１１２と、
前記応募メール受信手段１１１によって受信された応募用電子メールの前記携帯端末２００の送信元メールアドレスを読み出し、ユーザ情報記憶手段１３２内に書き込むユーザ登録手段１１８と、
前記応募メール受信手段１１１によって受信された応募用電子メールに含まれる前記商品識別情報に基づいて前記ユーザ情報記憶手段１３２内にポイント情報を書き込むポイント管理部１２０のポイント書き込み手段と、
前記商品識別情報認証手段１１２による判定の結果に基づいて、前記管理サーバアドレス情報を前記送信元メールアドレスに対応付けて生成するアドレス情報（ＵＲＬ）生成手段１１４と、
生成した前記管理サーバアドレス情報に対応付けられた前記送信元メールアドレスを取得するＵＲＬ対応情報取得部１１９のメールアドレス取得手段と、
前記メールアドレス取得手段によって取得された送信元メールアドレスに対応する前記ポイント情報を前記ユーザ情報記憶手段１３２から読み出すポイント管理部１２０のポイント読み出し手段と、
前記応募メール受信手段によって受信した応募用電子メールにて作成要求された紹介用データを作成する紹介用データ作成手段１５０と、
前記アドレス情報生成手段１１４によって生成されたアドレス情報とポイント管理部１２０のポイント読み出し手段にて読み出されたユーザＡO に付与するポイント情報と紹介用データ作成手段１５０にて作成された紹介用データとを含む応答用電子メールを作成して前記携帯端末に送信する応答メール作成送信部１１５と、
前記ユーザＡO の受信した紹介用データに基づいて他のユーザＡn の携帯端末４００から送信される被紹介データの接続登録要求を受信して受け付け処理し、該被紹介データに対応する応答出力情報を生成して該ユーザＡn の携帯端末４００に送信する応答メール作成送信部１１５の紹介情報受付送信手段と、
前記応答出力情報に基づいて送信される該ユーザＡn の商品注文情報を確認し、前記ユーザＡO の携帯端末に紹介ポイントを付与して送信するポイント管理部１２０の紹介ポイント付与送信手段と、
を具備することを特徴とするユーザ紹介キャンペーン商品情報システムにおける管理サーバである。
【００１４】
本発明の請求項６に係る発明は、上記請求項５に係るユーザ紹介キャンペーン商品情報システムにおける管理サーバにおいて、
前記商品識別情報記憶手段１３０は、受信した他のユーザＡn の前記商品注文情報を確認すると共に、前記商品に対して発行された商品識別情報を既に使用されたか否かを示す使用済情報に対応付けて記憶登録することを特徴とするユーザ紹介キャンペーン商品情報システムにおける管理サーバである。
【発明の効果】
【００１５】
本発明の請求項１乃至４のいずれか１項に係る発明のユーザ紹介キャンペーン商品情報システム、及び請求項５又は６に係るユーザ紹介キャンペーン商品情報システムにおける管理サーバによれば、  ユーザＡO の携帯端末は、商品識別情報と宛先メールアドレスとが埋め込まれ、商品に付与された印刷物を読み取り手段により読み出し、該商品識別情報と応募用情報と他のユーザＡn への紹介用データ作成要求とを含む応募用電子メールを生成し、読み取った管理サーバの宛先メールアドレスに送信する。
【００１６】
受信した管理サーバは、商品識別情報を、それが既に使用されたか否かを示す使用済情報と共に記憶しておき、ユーザＡO の携帯端末から受信した応募用電子メールに含まれる商品識別情報が利用可能か否か判定し、判定の結果に基づいて管理サーバアドレス情報を生成して、ユーザＡO の携帯端末に、応答用電子メールとして生成した前記アドレス情報と、ユーザＡO に付与するポイント情報と、ユーザＡO の知人、取引先など他のユーザＡn への紹介用データとを送信する。
【００１７】
そしてユーザＡO の携帯端末は、管理サーバから受信した応答用電子メールに含まれている管理サーバアドレス情報に基づいた認証登録、キャンペーンの応募、参加に関する管理サーバの接続要求を受け付けて接続し、管理サーバは、ユーザＡO の認証登録を行い、対応する出力情報を生成して、ユーザＡO の携帯端末に送信する。
【００１８】
このように、本発明のユーザ紹介キャンペーン商品情報システム、及びその管理サーバによれば、ユーザＡO の携帯端末は、他のユーザＡn への紹介用データ作成要求を含む応募用電子メールを作成することができる。管理サーバは、そのユーザＡO からの紹介用データ作成要求を含む応募用電子メールを受信し、該応募用電子メールに基づき、前記ユーザＡO に付与すべきポイント情報と他のユーザＡn への紹介用データとを含む応答用電子メールを、前記ユーザＡO の携帯端末に送信して、前記ユーザＡO に付与すべきポイント情報と他のユーザＡn への紹介用データとを含む応答用電子メールを前記ユーザＡO の携帯端末が受信する。
【００１９】
そして、ユーザＡO の携帯端末は、応答用電子メールに含む紹介用データを前記他のユーザＡn の携帯端末に送信し、他のユーザＡn の携帯端末から被紹介データの接続登録要求を管理サーバに送信する。そして、管理サーバは、他のユーザＡn の携帯端末から送信される被紹介データの接続登録要求を受信して、該被紹介データに対応する応答出力情報を生成して、該他のユーザＡn の携帯端末に送信することができる。そして、この応答出力情報に基づき送信される該他のユーザＡn の商品注文情報を確認することにより、他のユーザＡn を紹介してくれた前記ユーザＡO の携帯端末２００に紹介ポイントを付与して送信するようにしたものである。
【００２０】
このように、本発明のユーザ紹介キャンペーン商品情報システム、及びその管理サーバによれば、ユーザＡO が自由な時間に手間をかけずにキャンペーンに応募、参加することができる。また、キャンペーンに応募、参加した前記ユーザＡO には、管理サーバから応答用電子メールとして、管理サーバアドレス情報の他に、ユーザＡO の知人、取引先など他のユーザＡn への紹介用データが同時に送信されて、この紹介用データを管理サーバアドレス情報と共に、前記他のユーザＡn の携帯端末に送信することができる。そして、受信した他のユーザＡn は、その紹介用データ（所定の入力用フォーマット、テンプレート等）に所定事項を入力して管理サーバに送信することにより、そのキャンペーンへの認証登録、応募、参加、キャンペーン商品の購入等をすることができ、キャンペーンに応募したユーザの紹介により、他のユーザも手間をかけずにキャンペーンに応募、参加することができるようになる。また、前記ユーザＡO は、紹介した他のユーザＡn が実際に商品注文を管理サーバに送信した場合には、管理サーバから所定の紹介ポイントを取得することが可能となる。
【００２１】
また、本発明の請求項１乃至４のいずれか１項に係る発明のユーザ紹介キャンペーン商品情報システム、及び請求項５又は６に係るユーザ紹介キャンペーン商品情報システムにおける管理サーバによれば、管理サーバは、商品識別情報を、それが既に使用されたか否かを示す使用済情報と共に記憶しておき、携帯端末から受信した応募用電子メールに含まれる商品識別情報が利用可能か否か判定し、応募用電子メールの送信元メールアドレスを読み出し、ユーザ情報記憶手段内に書き込み、応募用電子メールに含まれる商品識別情報に基づいてユーザ情報記憶手段内にポイント情報を書き込む。そして、前述の判定の結果に基づいて、アドレス情報を送信元メールアドレスに対応付けて生成し、これを含む応答用電子メールを作成して携帯端末に送信する。次いで、携帯端末からアドレス情報に基づく接続要求を受信して、それに対応付けられた送信元メールアドレスを取得して対応するポイント情報を読み出し、そのポイント情報を含む出力情報を携帯端末に送信する。そのため、メールアドレスをユーザＩＤとするため、従来、サイトにアクセスして登録していたユーザ登録が、メールを送るだけで可能になるので、同一メールアドレスからシリアルナンバーをメール送信するだけで、ユーザが携帯端末からユーザＩＤを入力することなく、キャンペーンのポイントの蓄積が可能になる。
【００２２】
また、本発明の請求項１乃至４のいずれか１項に係る発明のユーザ紹介キャンペーン商
品情報システム、及び請求項５又は６に係るユーザ紹介キャンペーン商品情報システムにおける管理サーバによれば、携帯端末から受信した応募用電子メールに含まれている商品識別情報が正当なものかどうか判定し、使用可能かどうか判定するため、商品識別情報を適切に認証することができる。
【発明を実施するための最良の形態】
【００２３】
本発明のユーザ紹介キャンペーン商品情報システム及びその管理サーバを、その実施の形態について図面を参照して説明する。
【００２４】
図１は、ユーザ紹介キャンペーン商品情報システムとして、例えば、菓子類の商品を製造している製造会社が運営しているキャンペーン運営システムの概要図である。１００は管理サーバであり、インターネットＮに接続している。２００はインターネットＮに無線接続可能な携帯端末である。なお、インターネットＮの代わりに専用回線等のネットワークを用いても良い。
【００２５】
次に、管理サーバ１００について説明する。ここで、管理サーバ１００は、Ｗｅｂサーバ機能を搭載している。１１０は、制御部である。１１１は応募メール受信部、１１２はシリアルナンバー正当性判定部（正当性判定手段）、１１３はシリアルナンバー未使用判定部（未使用判定手段）、１１４はＵＲＬ（Ｕｎｉｆｏｒｍ  Ｒｅｓｏｕｒｃｅ  Ｌｏｃａｔｏｒ）生成部（アドレス情報生成手段）、１１５は応答メール作成送信部、１１６は抽選処理部、１１７はページ送信部（出力情報送信手段）である。
【００２６】
ここで、制御部１１０は、応募メール受信部１１１、シリアルナンバー正当性判定部１１２、シリアルナンバー未使用判定部１１３、ＵＲＬ生成部１１４、応答メール作成送信部１１５、抽選処理部１１６、ページ送信部１１７、また、ユーザ登録部１１８、ＵＲＬ対応情報取得部（メールアドレス取得手段）１１９、及びポイント管理部（ポイント書き込み手段、ポイント読み出し手段）１２０、紹介用データ作成手段１５０を含む。
【００２７】
１３０は、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）で構成される記憶部であり、シリアルナンバーＤＢ（Ｄａｔａｂａｓｅ）（商品識別情報記憶手段）１３１、ユーザＤＢ（ユーザ情報記憶手段）１３２を格納して、該ユーザＤＢ（ユーザ情報記憶手段）１３２がユーザのポイントを管理する。１４０は、ネットワークカードで構成される通信Ｉ／Ｆ（Ｉｎｔｅｒｆａｃｅ）である。
【００２８】
次に、ユーザＡO の携帯端末２００の説明をする。携帯端末２００は、インターネットＮに接続する機能と、Ｗｅｂブラウザ機能と、電子メール送受信機能を搭載しており、液晶ディスプレイで構成される表示部と、ファンクションキー、テンキーで構成される入力部と、２次元バーコードを読み取るバーコード読み取り部を持つ。
【００２９】
そして、前記ユーザＡO の携帯端末２００は、商品識別情報と宛先メールアドレスとが埋め込まれ、商品に付与された印刷物を読み取る読み取り手段と、前記読み取り手段によって読み取られた印刷物に埋め込まれた前記商品識別情報を読み出し、該商品識別情報と応募用情報と他のユーザＡn への紹介用データ作成要求とを含む応募用電子メールを作成する応募メール作成手段と、前記印刷物に埋め込まれた前記宛先メールアドレスを読み出し、前記ネットワークを介して前記応募用電子メールを前記宛先メールアドレスへ送信する応募メール送信手段と、前記管理サーバ１００から、該管理サーバアドレス情報を含む応答用電子メールを受信する応答メール受信手段と、前記管理サーバ１００への接続要求をユーザＡO から受け付ける接続要求入力手段と、前記接続要求入力手段が受け付けた接続要求に従い、前記アドレス情報に基づいて前記管理サーバ１００に接続を要求する接続
要求手段と、前記管理サーバ１００から出力情報を受信して表示する表示手段とを具備している。
【００３０】
ここで、上記の管理サーバ１００、及び携帯端末２００は、ＣＰＵ（中央演算装置）（図示せず）を実装しており、上述した管理サーバ１００の制御部１１０、及び携帯端末２００が搭載する各機能を実現するプログラム（図示せず）をメモリ上にロードして実行することで実現する。なお、上記の各機能は、専用のハードウェアを用いて実現されても良い。
【００３１】
次に、ユーザが商品を購入し、その商品のパッケージに印刷された２次元バーコードを用いて、キャンペーン運営システムを利用する動作を、図面を参照して説明する。まず、商品の製造会社のサーバ管理者は、キャンペーン運営システムで利用する管理サーバ１００を設置し、通信Ｉ／Ｆ１４０を介してインターネットＮに接続させる。その後、商品である菓子のパッケージに、個々の商品毎に異なる番号であるシリアルナンバーを発行し、管理サーバ１００の記憶部１３０内のシリアルナンバーＤＢ１３１に格納する。そして、発行したシリアルナンバー、管理サーバ１００が受信可能なメールアドレス（以下、宛先メールアドレスという）、及びタイトル名を、２次元バーコードの形式で記述して印刷して、小売店で販売する。
【００３２】
図２（ａ）と（ｂ）は、異なる通信会社の携帯端末２００が対応している２次元バーコードのサンプルを示す図である。（ａ）及び（ｂ）の２次元バーコードには、それぞれ宛先メールアドレス、タイトル名、及びシリアルナンバーの情報（図２（ａ）の３０２ａ、（ｂ）の３０２ｂ）が書き込まれている。図２（ｃ）は、図２（ａ）及び（ｂ）のそれぞれの通信会社の携帯端末２００に対応する２次元バーコードのサンプルを示す図であり、（ａ）の３０２ａ、（ｂ）の３０２ｂの情報を含んだ情報（図２（ｃ）の３０２ｃ）が書き込まれている。なお、タイトル名の情報は、２次元バーコードに書き込まれなくても良い
図３及び図４は、ユーザ所有の携帯端末２００が管理サーバ１００へ応募用電子メールを送信し、管理サーバ１００がその送信元メールアドレスでユーザ登録を行って、商品キャンペーンにおけるユーザの紹介手続動作及びポイント管理をする動作を示すフローチャートである。なお、商品の製造会社は、製造した商品にシリアルナンバーを発行して、発行したシリアルナンバーをシリアルナンバーＤＢ１３１に格納するものである。
【００３３】
（ステップＳ１）
まず、図３において、ユーザＡO は、小売店にてキャンペーン中の商品を購入し、その商品のパッケージに印刷された２次元バーコードを読み取るよう携帯端末２００を操作して、携帯端末２００はバーコード読み取り部から２次元バーコードを読み取る。
【００３４】
図５は、商品のパッケージ３００の表面に印刷された２次元バーコード３０１を携帯端末２００のバーコード読み取り部から読み取ることを示す説明図である。ここで、２次元バーコード３０１に格納されている宛先メールアドレスと、シリアルナンバーは、視認できるようにパッケージ３００に印刷されている。これは、携帯端末２００のバーコード読み取り部の不具合等により、２次元バーコードに書き込まれたデータが読み取れなかった場合や、バーコード読み取り部を搭載していない携帯端末で応募する場合に、ユーザＡO がＵＲＬを手入力して、キャンペーン応募用電子メールを手入力で作成し、キャンペーンに参加できるようにするためのものである。
【００３５】
（ステップＳ２）
その後、携帯端末２００のバーコード読み取り部は、２次元バーコード３０１を読み取ると、その２次元バーコードから宛先メールアドレス、シリアルナンバー、及びタイトル
名を読み出し、他のユーザＡn に対して商品キャンペーンへの応募、参加を促す紹介用データ作成要求を含む応募用電子メールを作成し、表示部に表示する。図６は、読み取った２次元バーコードから作成された応募用電子メールの説明図である。ここで、シリアルナンバーは、応募用電子メールの本文に記載されている。
【００３６】
（ステップＳ３）
ユーザＡO は、携帯端末２００の表示部から、応募用電子メールの表示を視認して、入力部から管理サーバ１００に電子メール送信を要求する。これを受けて、携帯端末２００は、応募用電子メールを管理サーバ１００の宛先メールアドレスにメール送信する。図７は、携帯端末２００が応募用電子メールを管理サーバ１００に送信する説明図である。
【００３７】
（ステップＳ３１）
次に、管理サーバ２００の応募メール受信部１１１が、ステップＳ３で携帯端末２００から送信された応募用電子メールを受信する。
【００３８】
（ステップＳ３２）
管理サーバ１００が応募用電子メールを受信すると、ユーザ登録部１１８が、受信された応募用電子メールの送信元メールアドレスを読み出し、一致するメールアドレスが存在するか否か、ユーザＤＢ１３２内を検索する。即ち、メールアドレスが登録済みであった場合、ステップＳ３３に進む。一方、メールアドレスが未登録であった場合、ステップＳ３４、Ｓ３５に進む。
【００３９】
（ステップＳ３３）
メールアドレスが登録済みであった場合は、該当するポイント数を読み出し、前回までの獲得ポイント数を確認する。
【００４０】
（ステップＳ３４）
一方、メールアドレスが未登録であった場合は、送信元メールアドレスをユーザＩＤとして、ユーザＤＢ１３２に登録する。
【００４１】
（ステップＳ３５）
そして、ユーザＤＢ１３２に“０”の獲得ポイント数を設定し、その獲得ポイント数と対応付けて書き込む。
【００４２】
（ステップＳ３６）
次に、管理サーバ１００のシリアルナンバー正当性判定部１１２は、受信した応募用電子メールの本文に記載されているシリアルナンバーを読み出す。
【００４３】
（ステップＳ３７）
続いて、一致するシリアルナンバーが、記憶部１３０のシリアルナンバーＤＢ１３１内に存在するか否かを判定する。図８は、シリアルナンバーＤＢ１３１の内容を示す図である。本図に示すように、商品に発行された全てのシリアルナンバーが、使用済フラグと共に、シリアルナンバーＤＢ１３１に格納されている。シリアルナンバー正当性判定部１１２は、読み出したシリアルナンバーの一致性を判定して、判定の結果、一致又は不一致のいずれかを判定する。そして、一致（正当）と判定されれば、さらにシリアルナンバー未使用判定部１１３が、一致したシリアルナンバーに対応する使用済フラグが未使用を示すか否かを判定し、未使用と判定されれば、そのシリアルナンバーは正しい（正当、未使用）と判定されてステップＳ３８に進む。図９は、管理サーバ１００が、応募用電子メールから取得したシリアルナンバーを、シリアルナンバーＤＢ１３１を参照して認証する動作を説明する図である。
【００４４】
また、使用済と判定されれば、そのシリアルナンバーは正しくない（不当、使用済）と判定されてステップＳ４１に進む。一方、シリアルナンバー正当性判定部１１２の判定の結果、不当（不一致）と判定され、さらにシリアルナンバー未使用判定部１１３が、不一致のシリアルナンバーに対応する使用済フラグが未使用を示すか否かを判定し、使用済と判定されれば、そのシリアルナンバーは正しくない（不当）と判定されてステップＳ４１に進む。
【００４５】
（ステップＳ３８）
シリアルナンバー未使用判定部１１３の判定の結果、使用済フラグが未使用を示す、即ち、認証が成功した場合は、ＵＲＬ生成部１１４が、シリアルナンバー入力済用ＵＲＬ、即ち、シリアルナンバーの認証成功用のＵＲＬ（ＷＥＢページＵＲＬ（１）、管理サーバアドレス情報）を、そのシリアルナンバーと、応募用電子メールの送信元メールアドレスとに対応付けて生成する。図１２は、管理サーバ１００が受信した応募用電子メールの本文部分の例を示す図である。なお、シリアルナンバーには対応させず、送信元メールアドレスのみに対応付いたＵＲＬを生成しても良い。
【００４６】
（ステップＳ３９）
次いで、ポイント管理部１２０は、ユーザＤＢ１３２内のポイント数に１を加算して書き込む。ここで、ポイント管理部１２０は、ユーザのポイント数の履歴情報を、記憶部１３０内に保存しておく。なお、この処理は無くても良い。図１３は、ユーザＤＢ１３２内のユーザＩＤとポイント数を示す図である。
【００４７】
（ステップＳ４０）
その後、応答メール作成送信部１１５は、対応するポイント数をユーザＤＢ１３２から読み出し、ＵＲＬ生成部１１４によって生成されたＵＲＬ（ＷＥＢページＵＲＬ（１）、管理サーバアドレス情報）と、読み出したポイント数と、前記ユーザＡO の携帯端末２００から受信した応募用電子メールにおける他のユーザＡn に対して商品キャンペーンへの応募、参加を促す紹介用データ作成要求に対応する他のユーザＡn に対する紹介用データとを本文に記述した応答用電子メールを作成する。図１４は、送信元メールアドレスが（ａ）未登録であった場合に作成される応答用電子メールの例、（ｂ）登録済みであった場合に作成される応答用電子メールの例を示す図である。ここで図１４（ａ）及び（ｂ）における１６１は、シリアルナンバーと、応募用電子メールの送信元メールアドレスとに対応付けて生成されたＵＲＬである。また、図１４（ｂ）の最下行には、ユーザのポイント履歴を表示させるＵＲＬ１６２が記述されている。なお、この記述は無くても良い。
【００４８】
（ステップＳ４１）
一方、前述のステップＳ３７で、シリアルナンバー正当性判定部１１２の判定の結果、一致するシリアルナンバーが存在しなかった場合、又は、シリアルナンバー未使用判定部１１３の判定の結果、使用済フラグが不当（使用済）を示す場合、ＵＲＬ生成部１１４がシリアルナンバー未入力用のＵＲＬ（ＷＥＢページＵＲＬ（２）、管理サーバアドレス情報）を、送信元メールアドレスに対応付けて生成する。
【００４９】
（ステップＳ４２）
その後、応答メール作成送信部１１５は、ＵＲＬ生成部１１４によって生成されたＵＲＬ（ＷＥＢページＵＲＬ（２）、管理サーバアドレス情報）と、読み出したポイント数と、前記ユーザＡO の携帯端末２００から受信した応募用電子メールにおける他のユーザＡn に対して商品キャンペーンへの応募、参加を促す紹介用データ作成要求に対応する他のユーザＡn に対する紹介用データとを本文に記述した応答用電子メールを作成する。
【００５０】
（ステップＳ４３）
そして、管理サーバ１００の応答メール作成送信部１１５は作成した応答用電子メールを、上述のステップＳ３１で受信した応募用電子メールの送信元メールアドレスに送信、即ち、携帯端末２００に送信する（Ａ）。図１５は、シリアルナンバーの認証が失敗した場合に作成される応答用電子メールの例を示す図である。
【００５１】
（ステップＳ４）
次に、図４に示すように、携帯端末２００は、管理サーバ１００から応答用電子メールを受信すると、携帯端末２００のアラーム、表示部の表示等で応答用電子メールの受信をユーザに通知し、ユーザは、この応答用電子メール受信通知を視聴する。そして、ユーザＡO の都合の良い時に、受信された応答用電子メールを携帯端末２００の表示部に表示するよう入力部から指示する。携帯端末２００は、この入力指示を受けて、応答用電子メールの内容を表示部に表示する。図１０における９１は、応答用電子メールの内容の例である。
【００５２】
（ステップＳ５）
そして、ユーザＡO は、管理サーバ１００から受信した応答用電子メールに記載された内容に基づいて、そのキャンペーンの催し物（例えば抽選会）への参加を希望するために管理サーバ１００に接続要求する場合と、キャンペーンへの応募、参加を、該ユーザＡO の知人、友人等、他のユーザＡn に紹介することの両方を希望する場合には、管理サーバ１００から受信した応答用電子メールに記載された内容に基づいて、そのキャンペーンにおける催し物（例えば抽選会）への参加を希望するために、管理サーバ１００にＵＲＬ（ＷＥＢページＵＲＬ（１）又は（２）、管理サーバアドレス情報）に基づいて接続要求を送信してステップＳ５０に進む。また、ユーザＡO は他のユーザＡn の携帯端末４００に管理サーバ１００から受信した応答用電子メールに記載された内容（ＵＲＬ（ＷＥＢページＵＲＬ（１）又は（２）、管理サーバアドレス情報、紹介用データ、キャンペーン紹介情報等）を送信してステップＳ８に進む。
【００５３】
（ステップＳ６）
ユーザＡO は、管理サーバ１００から受信した応答用電子メールに記載された内容に基づいて、そのキャンペーンの催し物（例えば抽選会）への参加のみを希望する場合は、管理サーバ１００に接続要求するために、携帯端末２００に表示された応答用メールの本文に記載されたＵＲＬ（ＷＥＢページＵＲＬ（１）又は（２）、管理サーバアドレス情報）を該携帯端末２００の入力部から選択して押下する。即ち、本文記載のＵＲＬに基づいて管理サーバ１００に接続要求を入力してアクセスする。この接続要求を受けて、携帯端末２００は、押下されたＵＲＬに基づいてインターネットＮを介して管理サーバ１００（サイト）に接続を要求（アクセス）して、ステップＳ５０に進み、前記キャンペーンの催し物（例えば抽選会）への参加を希望しない場合は、ステップＳ７に進む。
【００５４】
（ステップＳ７）
ユーザＡO は、管理サーバ１００から受信した応答用電子メールに記載された内容に基づいて、キャンペーンへの応募、参加を、該ユーザＡO の知人、友人等、他のユーザＡn に紹介することを希望する場合は、他のユーザＡn の携帯端末４００に対して応答用メールの本文に記載されたＵＲＬ（ＷＥＢページＵＲＬ（１）又は（２）、管理サーバアドレス情報）と、紹介用データとを送信して、該他のユーザＡn に対してキャンペーン情報を紹介する。他方、他のユーザＡn に紹介することを希望しない場合は、該他のユーザＡn に対して送信せず、終了とする。
【００５５】
（ステップＳ８）
他のユーザＡn の携帯端末４００は、前記ユーザＡO が送信したＵＲＬ（ＷＥＢページ
ＵＲＬ（１）又は（２）、管理サーバアドレス情報）と紹介用データとを受信する。
【００５６】
（ステップＳ９）
ユーザＡO によりキャンペーン情報を紹介された前記他のユーザＡn は、前記ＵＲＬ（ＷＥＢページＵＲＬ（１）又は（２）、管理サーバアドレス情報）に基づき、その紹介用データを利用して、携帯端末４００から管理サーバ１００に接続（又は接続登録）要求又は／及びキャンペーン商品注文情報を送信する。
【００５７】
（ステップＳ１０）
管理サーバ１００は、前記他のユーザＡn の携帯端末４００からの接続（又は接続登録）要求を受信する。
【００５８】
（ステップＳ１１）
管理サーバ１００は、前記他のユーザＡn の携帯端末４００からの接続（又は接続登録）要求に対する応答出力情報を前記他のユーザＡn の携帯端末４００に送信する。
【００５９】
（ステップＳ１２）
前記他のユーザＡn の携帯端末４００は、管理サーバ１００からの応答出力情報を受信する。
【００６０】
（ステップＳ１３）
前記他のユーザＡn は、その携帯端末４００から管理サーバ１００に対して、キャンペーンの応募、参加、又はキャンペーン商品を注文するためのキャンペーン商品注文情報を送信する。
【００６１】
（ステップＳ１４）
管理サーバ１００は前記他のユーザＡn の携帯端末４００からのキャンペーンの応募、参加、又はキャンペーン商品を注文するためのキャンペーン商品注文情報を受信する。
【００６２】
（ステップＳ１５）
管理サーバ１００は前記他のユーザＡn の携帯端末４００からのキャンペーンの応募、参加、又はキャンペーン商品を注文するためのキャンペーン商品注文情報を受信すると、その商品注文情報を確認するとともに、他のユーザＡn のキャンペーンへの応募、参加の希望の確認を行う。他のユーザＡn がキャンペーンへの応募、参加を希望している場合には、注文された前記商品に対して発行される商品識別情報を前記商品識別情報記憶手段１３０に、既に使用されたか否かを示す使用済情報に対応付けて記憶し登録することができる。また、前記他のユーザＡn を紹介してくれた謝礼として、前記ユーザＡO に対して所定のポイント数の紹介ポイントを作成し、そのユーザＡO の携帯端末２００に紹介ポイントを送信付与する。
【００６３】
（ステップＳ５０）
一方、前述のステップＳ５にて、ユーザＡO の携帯端末２００から管理サーバ１００にキャンペーンにおける催し物（例えば抽選会）への参加を希望する接続要求メールが送信されて、管理サーバ１００は、携帯端末２００からのＵＲＬ（ＷＥＢページＵＲＬ（１）又は（２）、管理サーバアドレス情報）に基づく接続要求をページ送信部１１７が受信して、ＵＲＬ対応情報取得部１１９が、指定されたＵＲＬに対応付いた携帯端末２００のメールアドレスを取得し、メールアドレス表示データを作成する。即ち、管理サーバ１００は、携帯端末２００からＵＲＬに基づく接続要求を受信して、ステップＳ５０以下のようにして、そのＵＲＬに対応するＷｅｂページ情報を生成して、携帯端末２００に送信する。図１１は、接続要求されたＵＲＬが（ａ）前述のステップＳ３８で生成されたシリアル
ナンバー入力済用ＵＲＬ（ＷＥＢページＵＲＬ（１））であった場合に対応するＷｅｂページ情報を示すイメージ図、及び、（ｂ）前述のステップＳ４１で生成されたシリアルナンバー未入力用ＵＲＬ（ＷＥＢページＵＲＬ（２））であった場合に対応するＷｅｂページ情報を示すイメージ図である。
【００６４】
（ステップＳ５１）
管理サーバ１００は、ページ送信部１１７が、携帯端末２００からＵＲＬに基づく接続要求を受信すると、ページ生成部１１７は、そのＵＲＬがシリアルナンバー入力済用ＵＲＬか否か判定する。判定の結果、入力済用ＵＲＬであった場合、ＵＲＬ対応情報取得部１１９が、対応するシリアルナンバーを取得してステップＳ５２に進み、未入力ＵＲＬの場合、ステップＳ５６に進む。
【００６５】
（ステップＳ５２）
次いで、シリアルナンバー未使用判定部１１３がシリアルナンバーＤＢ１３１を参照して、そのシリアルナンバーの使用済フラグが未使用を示すか否か判定する。この判定の結果、未使用であった場合は、ステップＳ５３に進み、使用済であった場合は、ステップＳ５６に進む。
【００６６】
（ステップＳ５３）
シリアルナンバー未使用判定部１１３による判定の結果、未使用であった場合は、そのＵＲＬに対応付けられたシリアルナンバー表示データを作成する。
【００６７】
（ステップＳ５４）
そして、抽選処理を行うページへリンクした“抽選開始”ボタンのリンクボタン表示データを作成する。
【００６８】
（ステップＳ５５）
次いで、ポイント管理部１２０が、ユーザＤＢ１３２を読み出して、前記ステップＳ５０で取得したメールアドレスに対応するポイント数を含む獲得ポイント数表示データを作成し、新規のシリアルナンバー入力欄データを作成する。なお、このシリアルナンバー入力欄データは作成しなくても良い。その後、ページ送信部１１７は、前述のメールアドレス表示データ、シリアルナンバー表示データ、リンクボタン表示データ、獲得ポイント数表示データ、及び、シリアルナンバー入力欄データからなるページ情報を生成する。図１６（ａ）は、ＵＲＬに対応するシリアルナンバーが未使用であった場合に作成されるページ情報の例を示す図である。
【００６９】
（ステップＳ５６）
前述のステップＳ５１におけるページ生成部１１７による判定の結果、シリアルナンバー未入力用ＵＲＬであった場合は、ポイント管理部１２０が、ユーザＤＢ１３２を読み出して、ポイント数が０か否か判定する。ポイント数が０でない場合は、前述のステップＳ５４に遷移する。他方、ポイントが０であった場合、前述のステップＳ５５に遷移する。図１６（ｂ）はＵＲＬに対応するシリアルナンバーが使用済、ユーザＤＢ内のポイント数が０でない場合に作成されるページ情報の例、（ｃ）はＵＲＬに対応するシリアルナンバーが使用済、ユーザＤＢ内のポイント数が０である場合に作成されるページ情報の例を示す図である。その後、ページ送信部１１９は、作成したページ情報を、携帯端末２００に送信し、これを受信した携帯端末２００の表示部は、ページ情報を表示する。
【００７０】
（ステップＳ５７）
次に、ユーザは、携帯端末２００の表示部に表示されたページ情報を見て、表示された獲得ポイント数から、抽選が可能か確認する。抽選不可であった場合、ステップＳ５８に
進み、抽選可能であった場合、ステップＳ５９に進む。
【００７１】
（ステップＳ５８）
抽選不可であった場合は、ユーザは、シリアルナンバー入力欄を、携帯端末２００の入力部から選択して、商品のパッケージに印刷されている未使用のシリアルナンバーを入力して、この入力データを管理サーバ１００に送信する。管理サーバ１００はこれを受信すると、前述のステップＳ５０に戻り処理を行う。
【００７２】
（ステップＳ５９）
一方、抽選可能であった場合は、ユーザは、携帯端末２００の入力部から“抽選開始”ボタンを押下して、抽選処理をスタートさせる。
【００７３】
（ステップＳ６０）
携帯端末２００は、この“抽選開始”ボタンを押下することによる抽選処理スタートの入力データを管理サーバ１００に送信し、管理サーバ１００の抽選処理部１１６は、抽選処理を開始する。
【００７４】
（ステップＳ６１）
管理サーバ１００の抽選処理部１１６は、ユーザＤＢ１３２内のポイント数を読み出して、そのポイント数から抽選処理に必要なポイント数を差し引く。
【００７５】
（ステップＳ６２）
次いで、ページ送信部１１７が、抽選処理の結果を示すページ情報を作成し、携帯端末２００へ送信する。
【００７６】
（ステップＳ６３）
携帯端末２００の表示部は、受信したページ情報を取得して表示し、ユーザはこの表示を見て抽選結果を確認する。
【００７７】
このようにして、前記管理サーバ１００は、シリアルナンバーを、それが既に使用されたか否かを示す使用済フラグと共に記憶しておき、携帯端末２００から受信した応募用電子メールに含まれるシリアルナンバーが利用可能か否か判定し、応募用電子メールの送信元メールアドレスを読み出し、ユーザＤＢ１３２内に書き込み、応募用電子メールに含まれるシリアルナンバーに基づいてユーザＤＢ１３２にポイント数を書き込む。
【００７８】
そして、前述の判定の結果に基づいて、ＵＲＬを送信元メールアドレスに対応付けて生成し、これを記載した応答用電子メールを作成して携帯端末２００に送信する。次いで、携帯端末２００からＵＲＬに基づく接続要求を受信して、それに対応付けられた送信元メールアドレスを取得して対応するポイント数を読み出し、そのポイント数を含むＷｅｂページ情報を携帯端末２００に送信する。
【００７９】
そのため、メールアドレスをユーザＩＤとするため、従来、サイトにアクセスして登録していたユーザ登録が、メールを送るだけで可能になるので、同一メールアドレスからシリアルナンバーをメール送信するだけで、シリアルナンバーの蓄積が可能になる。これにより、ユーザが携帯端末からユーザＩＤを入力することなく、キャンペーンのポイントを蓄積することができる。
【００８０】
なお、上述の実施形態において、携帯端末２００が作成する応募用電子メールの本文にシリアルナンバーを一つだけ記載する場合について説明したが、応募用電子メールに、複数のシリアルナンバーを記載して管理サーバ１００に送信しても良い。その場合、ユーザ
が複数の商品を購入し、携帯端末２００を操作してそのうち１つの２次元バーコードを読み込ませ、携帯端末２００がそのシリアルナンバーを記載した応募用電子メールを作成する。
【００８１】
ユーザはこれを表示させ、携帯端末２００の入力部から、応募用電子メールの本文に、図１７に示すように複数のシリアルナンバーを記載する。管理サーバ１００は、上述の実施形態におけるステップＳ３６において、応募用電子メールの本文に、図１７に示すように複数のシリアルナンバーが記載されていた場合、対応するポイント数をユーザＤＢ１３２に書き込み、シリアルナンバーＤＢ１３１内の該当シリアルナンバーの使用済フラグが使用済を示すように更新する。
【００８２】
ＵＲＬ生成部１１４は、複数のシリアルナンバーに応じたＵＲＬを生成し、応答メール作成送信部１１５は、このＵＲＬを含む応答用電子メールを作成して携帯端末２００に送信する。図１８は、応募用電子メールに複数のシリアルナンバーが記載されていた場合、応答メール作成送信部１１５が作成する応答用電子メールの内容を示す図である。これにより、従来１つずつ行っていたシリアルナンバーの登録が、応募用電子メールに複数のシリアルナンバーを記載することで、一括送信、一括認証できる。
【００８３】
また、上述の実施形態において、予め発行された全てのシリアルナンバーを、管理サーバ１００のシリアルナンバーＤＢ１３１に格納し、これを参照して、応募用電子メールのシリアルナンバーの正当性を判定する場合について説明したが、応募用電子メールのシリアルナンバーに所定の計算を施して、正当性を判定しても良い。例えば、シリアルナンバーの１桁目の数字と２桁目の数字を加算し、３桁目の数字で積算した値を、４桁目の数字で除算した余りの値が５桁目になるように、製造会社がシリアルナンバーを発行しておき、管理サーバ１００のシリアルナンバー正当性判定部１１２が、同様の計算を行って正当性を判定する。
【００８４】
この場合、管理サーバ１００は、シリアルナンバーＤＢ１３１を予め格納せず、ユーザの携帯端末２００からシリアルナンバーを受信した際に、そのシリアルナンバーを、図１９に示すような使用済シリアルナンバーテーブルに格納し、管理サーバ１００は、これを参照してシリアルナンバーが使用済か否かを判定する。
【００８５】
また、図１９に示す使用済シリアルナンバーテーブルの情報を、ユーザＤＢ１３２に記述しても良い。図２０は、使用済シリアルナンバーを追記したユーザＤＢ１３２の内容を示す図である。
【００８６】
また、ユーザＤＢ１３２に、商品に発行された全てのシリアルナンバーを格納しても良い。図２１は、発行された全シリアルナンバーと、それを応募用電子メールで受信した際の送信元メールアドレスであるユーザＩＤとを対応付けて格納した場合のユーザＤＢ１３２の内容を示す図である。本図中、ユーザＩＤ欄が“未登録”を示すシリアルナンバーは、未使用であることを示す。
【００８７】
また、上述の実施形態に置いて、シリアルナンバーの認証に失敗した場合、管理サーバ１００は、シリアルナンバー未入力用ＵＲＬを生成し、応答用電子メールに記載して送信したが、ＵＲＬを生成しなくても良い。
【００８８】
また、上述の実施形態において、管理サーバ１００が、定期的にユーザＤＢ１３２内の各ユーザＩＤのポイント数を参照し、各ユーザに応じた通知内容を記載した電子メールを、ユーザの携帯端末に送信しても良い。図２２は、管理サーバ１００が、各ユーザに応じた通知内容を記載した電子メールの例を示す図である。
【００８９】
また、上述の実施形態において、抽選に外れたユーザに対して、管理サーバ１００が外れポイントを付与して記憶部１３０に記憶しておき、一定のポイントが蓄積された時点で、ユーザＤＢ１３２内のユーザＩＤであるメールアドレスを送信先とした電子メールでユーザに通知し、再度抽選処理を行っても良い。
【００９０】
また、上述の実施形態において、予めパスワードをユーザ毎に設定し、携帯端末２００から、ユーザのポイント数の履歴を表示するＵＲＬが要求された場合、パスワードの入力を要求するようにしても良い。
【００９１】
また、上述の実施形態において、ユーザは携帯端末２００を用いて管理サーバ１００にアクセスしたが、ＰＣ（Ｐｅｒｓｏｎａｌ  Ｃｏｍｐｕｔｅｒ）を用いても良い。
【００９２】
以上、この発明の実施形態を、図面を参照して詳述してきたが、具体的な構成はこの実施形態に限られるものではなく、この発明の要旨を逸脱しない範囲の設計等も含まれる。
【図面の簡単な説明】
【００９３】
【図１】本発明の実施形態における、菓子類の商品を製造している製造元会社が運営しているキャンペーン運営システムの概要図である。
【図２】（ａ）〜（ｂ）は同実施形態における異なる通信会社の携帯端末２００が対応している２次元バーコードのサンプルを示す図である。
【図３】同実施形態における、ユーザ所有の携帯端末が管理サーバへ電子メールを送信し、管理サーバが送信先メールアドレスでユーザ登録を行ってポイント管理をする動作を示すフローチャートである。
【図４】同実施形態における、ユーザ所有の携帯端末が管理サーバへ電子メールを送信し、管理サーバが送信先メールアドレスでユーザ登録を行ってポイント管理をする動作を示すフローチャートである。
【図５】同実施形態における、商品のパッケージの表面に印刷された２次元バーコードを携帯端末のバーコード読み取り部から読み取ることを示す説明図である。
【図６】同実施形態に用いられる、読み取った２次元バーコードから作成された応募用電子メールの説明図である。
【図７】同実施形態における、携帯端末が応募用電子メールを管理サーバに送信する説明図である。
【図８】同実施形態における、シリアルナンバーＤＢの内容を示す図である。
【図９】同実施形態における、管理サーバが、応募用電子メールから取得したシリアルナンバーを、シリアルナンバーＤＢを参照して認証する動作を説明する図である。
【図１０】同実施形態における、管理サーバが応答用電子メールを携帯端末に送信する説明図である。
【図１１】同実施形態における、接続要求されたＵＲＬが（ａ）シリアルナンバー入力済用ＵＲＬであった場合に対応するＷｅｂページ情報を示すイメージ図、及び（ｂ）シリアルナンバー未入力用ＵＲＬであった場合に対応するＷｅｂページ情報を示すイメージ図である。
【図１２】同実施形態における、管理サーバが受信した応募用電子メールの本文部分の例を示す図である。
【図１３】同実施形態における、ユーザＤＢ内のユーザＩＤとポイント数を示す図である。
【図１４】同実施形態における、送信元メールアドレスが（ａ）未登録であった場合に作成される応答用電子メールの例、（ｂ）登録済みであった場合に作成される応答用電子メールの例を示す図である。
【図１５】同実施形態における、シリアルナンバーの認証が失敗した場合に作成される応答用電子メールの例を示す図である。
【図１６】同実施形態における、（ａ）ＵＲＬに対応するシリアルナンバーが未使用であった場合に作成されるページ情報の例、（ｂ）ＵＲＬに対応するシリアルナンバーが使用済、ユーザＤＢ内のポイント数が０でない場合に作成されるページ情報の例、及び（ｃ）ＵＲＬに対応するシリアルナンバーが使用済、ユーザＤＢ内のポイント数が０である場合に作成されるページ情報の例を示す図である。
【図１７】同実施形態における、本文に複数のシリアルナンバーを記載した応募用電子メールの例を示す図である。
【図１８】同実施形態における、応募用電子メールに複数のシリアルナンバーが記載されていた場合、応答メール作成送信部が作成する応答用電子メールの内容を示す図である。
【図１９】同実施形態における、使用済シリアルナンバーテーブルの内容を示す図である。
【図２０】同実施形態における、使用済シリアルナンバーを追記したユーザＤＢの内容を示す図である。
【図２１】同実施形態における、発行された全シリアルナンバーと、それを応募用電子メールで受信した際の送信元メールアドレスであるユーザＩＤとを対応付けて格納した場合のユーザＤＢの内容を示す図である。
【図２２】同実施形態における、管理サーバが、各ユーザに応じた通知内容を記載した電子メールの例を示す図である。
【符号の説明】
【００９４】
１００…管理サーバ
１１０…制御部
１１１…応募メール受信部
１１２…シリアルナンバー正当性判定部
１１３…シリアルナンバー未使用判定部
１１４…ＵＲＬ生成部
１１５…応答メール作成送信部
１１６…抽選処理部
１１７…抽選処理部
１１８…抽選処理部
１１９…ＵＲＬ対応情報取得部
１２０…ポイント管理部
１３０…記録部
１３１…シリアルナンバーＤＢ
１３２…ユーザＤＢ
１４０…通信Ｉ／Ｆ
２００…携帯端末
Ｎ…インターネット
【図１】
2007293666.tif 000003
【図２】
2007293666.tif 000004
【図３】
2007293666.tif 000005
【図４】
2007293666.tif 000006
【図５】
2007293666.tif 000007
【図６】
2007293666.tif 000008
【図７】
2007293666.tif 000009
【図８】
2007293666.tif 000010
【図９】
2007293666.tif 000011
【図１０】
2007293666.tif 000012
【図１１】
2007293666.tif 000013
【図１２】
2007293666.tif 000014
【図１３】
2007293666.tif 000015
【図１４】
2007293666.tif 000016
【図１５】
2007293666.tif 000017
【図１６】
2007293666.tif 000018
【図１７】
2007293666.tif 000019
【図１８】
2007293666.tif 000020
【図１９】
2007293666.tif 000021
【図２０】
2007293666.tif 000022
【図２１】
2007293666.tif 000023
【図２２】
2007293666.tif 000024